(57)【要約】【課題】排水管からの雨水の逆流を防止して建物外壁の水濡れや汚れを抑制することができ、しかも熱収縮や熱膨張による排水管カバーからの竪樋の脱落や破損を抑制することができる排水管カバーを提供すること。【解決手段】上端側の筒状部６と、下端側の排水管３の管内に収納される排水管収納部７を有する下部材４と、竪樋２の外周面に対向する筒状の上端開口部８と、この上端開口部８の下端部から外方に向かって傾斜するテーパー面９ａと、このテーパー面９ａの下端より下垂する垂直面９ｂから形成されるカバー部９とを有する上部材５との二部材からなり、上部材５のカバー部９の下端は、下部材４の筒状部６の上端の径よりも大きく、上部材５のカバー部９により下部材４の筒状部６が覆われ、上部材５と下部材４との間に、上部材５のカバー部９の下端内周縁部と下部材４の筒状部６の外周面とが離間配置されて、開口部１０が形成されている【選択図】図１
2018104961.tif 000002
【特許請求の範囲】
【請求項１】
竪樋の下端部と、地中に埋設された排水管の立ち上がり端部に装着される排水管カバーであって、
上端側の筒状部と、下端側の前記排水管の管内に収納される排水管収納部を有する下部材と、
前記竪樋の外周面に対向する筒状の上端開口部と、この上端開口部の下端部から外方に向かって傾斜するテーパー面と、このテーパー面の下端より下垂する垂直面から形成されるカバー部とを有する上部材との二部材からなり、
前記上部材の前記カバー部の下端は、前記下部材の前記筒状部の上端の径よりも大きく、前記上部材の前記カバー部により前記下部材の筒状部が覆われ、前記上部材と前記下部材との間に、前記上部材の前記カバー部の下端内周縁部と前記下部材の前記筒状部の外周面とが離間配置されて、開口部が形成されていることを特徴とする排水管カバー。
【請求項２】
前記下部材の前記筒状部の下端外周縁部から延設され、前記排水管の前記立ち上がり端部の外周を覆う排水管覆部を備えることを特徴とする請求項１に記載の排水管カバー。
【請求項３】
前記上部材では、前記上端開口部の内周面に、前記排水管の中央に向かって下方に水流ガイド部が突設され、前記カバー部の下端内周縁部には突条部が設けられ、
前記下部材の前記筒状部外周面には突条部受部が設けられており、
前記突条部が前記突条部受部に載置されることを特徴とする請求項１または２に記載の排水管カバー。
【発明の詳細な説明】
【技術分野】
【０００１】
本発明は、排水管カバーに関する。
【背景技術】
【０００２】
通常、雨水は、軒樋に集められ、竪樋等を通して地中に埋設された排水管に排水される。竪樋は、建物の外壁に竪樋受具を用いて取り付けられ、その下端部と、地中に埋設された排水管の立ち上がり部とが、円筒状の排水管カバーを介して接続される。より具体的には、排水管カバーの上端が竪樋の下端に外挿され、排水管カバーの下端が排水管の立ち上がり部に内挿される。
【０００３】
このような排水管カバーについては、従来より、気温や風雨の影響によって竪樋の収縮、膨張、横ぶれ等が生じ、その下端部が排水管カバーの上端部より脱離してしまうことが懸念されていた。そこで、その対策として、これまでにも様々な検討がなされてきており、例えば、特許文献１、２のような排水管カバーが提案されている。
【０００４】
図４（Ａ）（Ｂ）に示したように、特許文献１の排水管カバー４１では、カバー本体４１ａとアタッチメント４１ｂとに分割されている。カバー本体４１ａの内面には竪樋４２が挿通可能とされており、アタッチメント４１ｂにおいては、上端開口部４１１にカバー本体４１ａが挿入可能とされており、下端開口部４１２には内管４３が挿入、支持されて二重管の構造となっている。この二重管構造の隙間に排水管４４が挿入可能とされている。
【０００５】
このような排水管カバー４１では、竪樋４２が熱膨張で曲がったり外れたりすることがなく、保守点検が容易であるとされている。
【０００６】
また、図５に示したように、特許文献２の排水管カバー５１では、排水管カバー本体５１ａと、アダプター５１ｂとからなり、排水管５２の立ち上がり部５２ａ内に先細りの短円筒状のアダプター５１ｂの差し口５１１が挿入されて載置されている。そして、アダプター５１ｂの受け口５１２内に排水管カバー本体５１ａの円筒部５１３の下端部が位置するように配設され、竪樋５３と排水管５２とが連通されている。
【０００７】
このような排水管カバー５１では、排水管５２の軸心と竪樋５３の軸心とが多少ずれていても、この軸心のずれを吸収して竪樋５３と排水管５２の接続を容易に行うことができ、しかも取付施工後の外観を損なうことがないとされている。
【先行技術文献】
【特許文献】
【０００８】
【特許文献１】特開平９−２９６５７７号公報
【特許文献２】特開平８−２８４３４４号公報
【発明の概要】
【発明が解決しようとする課題】
【０００９】
だが一方で、軒樋や竪樋、排水管の接続構造においては、近年増加傾向にあるゲリラ豪雨のように、短時間に大量の雨水が排水管に流入する場合、雨水が排水管の排水性能を上回ることが考慮されねばならなくなっている。排水管から排水することができなくなった雨水が、竪樋や軒樋にまで逆流して溢れ出し、建物外壁の水濡れや汚れ等を引き起こすからである。
【００１０】
しかしながら、特許文献１、２の排水管カバーでは、竪樋および軒樋への雨水の逆流と、それに伴う建物の外壁の水濡れや汚れ対策に関しては、十分に検討されているとはいえなかった。
【００１１】
本発明は、以上のような事情に鑑みてなされたものであり、排水管からの雨水の逆流を防止して建物外壁の水濡れや汚れを抑制することができ、しかも熱収縮や熱膨張による排水管カバーからの竪樋の脱落や破損を抑制することができる排水管カバーを提供することを課題としている。
【課題を解決するための手段】
【００１２】
本発明は、上記の課題を解決するため、竪樋の下端部と、地中に埋設された排水管の立ち上がり端部に装着される排水管カバーであって、
上端側の筒状部と、下端側の前記排水管の管内に収納される排水管収納部を有する下部材と、
前記竪樋の外周面に対向する筒状の上端開口部と、この上端開口部の下端部から外方に向かって傾斜するテーパー面と、このテーパー面の下端より下垂する垂直面から構成されるカバー部とを有する上部材との二部材からなり、
前記上部材の前記カバー部の下端は、前記下部材の前記筒状部の上端の径よりも大きく、前記上部材の前記カバー部により前記下部材の筒状部が覆われ、前記上部材と前記下部材との間に、前記上部材の前記カバー部の下端内周縁部と前記下部材の前記筒状部の外周面とが離間配置されて、開口部が形成されていることを特徴としている
【発明の効果】
【００１３】
本発明の排水管カバーによれば、排水管からの雨水の逆流を防止して建物外壁の水濡れや汚れを抑制することができ、しかも熱収縮や熱膨張による排水管カバーからの竪樋の脱落や破損を抑制することができる。
【図面の簡単な説明】
【００１４】
【図１】本発明の排水管カバーの一実施形態を模式的に示した概略断面図である。
【図２】本発明の排水管カバーの別の一実施形態を模式的に示した概略断面図である。
【図３】図２のＡ−Ａ’断面図である。
【図４】（Ａ）特許文献１に記載された従来の排水管カバーを模式的に示した概略断面図である。（Ｂ）は、（Ａ）の設置状態を示した概略断面図である。
【図５】特許文献２に記載された従来の排水管カバーを模式的に示した概略断面図である。
【発明を実施するための形態】
【００１５】
本発明の排水管カバーについて、図面に沿って以下に詳細に説明する。
【００１６】
なお、本明細書中において「径」とは、丸樋等の管状構造物の内径や外径などの直径や、角樋等の環状構造物の対向する対辺の差し渡し長さの中で最長のものを意味している。
【００１７】
図１は、本発明の排水管カバーの一実施形態を模式的に示した概略断面図である。
【００１８】
排水管カバー１は、竪樋２の下端部と地中Ｇに埋設された排水管３の立ち上がり端部３１との接続部の外側に装着されるものであって、この排水管カバー１は、下部材４と、上部材５の二部材からなる。下部材４は、上端側の筒状部６と、下端側の排水管３の管内に収納される排水管収納部７を有する。上部材５は、竪樋２の外周面に対向する筒状の上端開口部８と、この上端開口部８の下端部から外方に向かって傾斜するテーパー面９ａと、このテーパー面９ａの下端より下垂する垂直面９ｂから構成されるカバー部９とを有する。上部材５のカバー部９の下端は、下部材４の筒状部６の上端の径よりも大きく、上部材５のカバー部により下部材４の筒状部６が覆われている。そして、上部材５と下部材４との間に、上部材５のカバー部９の下端内周縁部と下部材４の筒状部６の外周面とが離間配置されて、開口部１０が形成されている
竪樋２は、従来建物等に使用されているものであれば特に限定されることなく用いることができ、例えば、その短手方向の断面形状が円形である丸樋や、断面形状が矩形や多角形である角樋等が例示される。
【００１９】
竪樋２の材質としては、従来建物等に使用されているものであれば特に限定されることなく用いることができ、例えば、硬質ポリ塩化ビニル管等などの合成樹脂製の管材が好適に用いられる。竪樋２が丸樋である場合、一般に、ＪＩＳ管と呼ばれる外径や厚み等が定形化された硬質ポリ塩化ビニルを用いることが好ましく考慮される。竪樋２の外径としては、例えば、８０ｍｍ〜１２０ｍｍの範囲が例示される。また、竪樋２の肉厚についても、適宜に決定することができる。
【００２０】
排水管３についても、竪樋２と同様に、従来建物等に使用されているものであれば特に限定されることなく用いることができ、一般、その短手方向の断面形状が円形である硬質ポリ塩化ビニル管等の合成樹脂製の管材が好適に用いられる。排水管３の外径としては、竪樋２と同様に、例えば、８０ｍｍ〜１２０ｍｍの範囲が例示される。また、排水管３の肉厚についても、適宜に決定することができる。
【００２１】
下部材４は、上端側に筒状部６を有し、下端側には、排水管３の管内に収納される排水管収納部７を有している。
【００２２】
筒状部６の形状および構造は、竪樋２または排水管３の形状および構造に対応させることができ、例えば、竪樋２や排水管３が円筒状である場合には筒状部６は円筒状とし、竪樋２や排水管３が角筒状である場合には筒状部６を角筒状とすることが例示される。
【００２３】
排水管収納部７は、下部材４の下端の内側において下方に延設されている。排水管収納部７の形状は、排水管３の形状に対応させることができ、例えば、円筒状の排水管に対応し断面円形とすることが例示される。排水管収納部７の下端の外径については、特に限定されないが、排水管３の立ち上がり端部３１の内径と同程度であることが好ましく考慮される。排水管収納部７の下端が、排水管３の立ち上がり端部３１の内径と同程度である場合、排水管収納部７の下端が、弾性変形しながら、排水管３に内挿されることにより、排水管３の立ち上がり端部３１の厚み方向外側に向けて反発する弾性力が生じる。そのため、下部材４を排水管３に確実に接続し、保持させることができる。
【００２４】
また、排水管収納部７は、排水管３の中央に向かって傾斜する傾斜面を備えていることが好ましく考慮される。この傾斜面により、竪樋２の下端部から流入する雨水Ｗ等を漏出させずに、排水管３の中央に誘導することができる。
【００２５】
排水管収納部７の長さは、排水管３の立ち上がり端部３１を安定して保持することができる長さに適宜設定することができる。
【００２６】
また、下部材４では、下部材４の筒状部６の下端外周縁部から延設され、排水管３の立ち上がり端部３１の外周を覆う排水管覆部１１を備えることが好ましく考慮される。
【００２７】
排水管収納部７の外周面と排水管覆部１１の内周面の間には、排水管３の立ち上がり端部３１を収納することができる。排水管収納部７の外周面と排水管覆部１１の内周面の間の寸法については、特に限定されることはないが、少なくとも排水管３の立ち上がり端部３１の厚み以上であることが考慮される。排水管収納部７の外周面と排水管覆部１１の内周面との間と、排水管３の立ち上がり端部３１との間のクリアランスが小さい場合、排水管収納部７による排水管３との保持固定に加えて、排水管覆部１１の内周面が排水管３の立ち上がり端部３１に外接するため、下部材４と排水管３との接続固定がより確実なものとなる。一方、排水管収納部７の外周面と排水管覆部１１の内周面との間と、排水管３の立ち上がり端部３１との間のクリアランスが大きい場合、厚みの異なる複数種類の排水管３に下部材４を接続することができる。このため、厚みの異なる排水管３にそれぞれ対応する寸法の下部材４を設計する必要がなくなり、排水管カバー１の製造コストを抑制することも可能である。
【００２８】
一方、上部材５は、竪樋２の外周面に対向する筒状の上端開口部８と、上端開口部８の下端から外方に向かって傾斜するテーパー面と、このテーパー面の下端より下垂する垂直面から構成されるカバー部９とを有する。
【００２９】
上部材５の上端開口部８の形状および構造は、竪樋２の形状および構造に対応させることができ、例えば、竪樋２が丸樋である場合には上端開口部６は円筒状とし、竪樋２が角樋である場合には上端開口部６を角筒状とすることが例示される。
【００３０】
上端開口部８の内径は、竪樋２の外径よりも若干大きく、かつ下部材４の筒状部６の内径よりも小さく成形されている。
【００３１】
このような上端開口部８には、竪樋２を挿通することができ、上端開口部８の内面と竪樋２の外面との間には、１〜３ｍｍ程度のクリアランスを有していることが好ましく考慮される。クリアランスが上記の範囲内であれば、竪樋２の横振れを抑制することができ、しかも、竪樋２の下端部が熱膨張によって変形しても、その変形分をクリアランスで吸収することにより、竪樋２に割れ等の破損が生じるのを抑制することができる。また、上部材５を竪樋２の外周面に沿って、軸方向に上下動自在とすることができる。
【００３２】
カバー部９は、前記のとおり、上端開口部８の下端から外方に向かって傾斜するテーパー面９ａと、このテーパー面９ａの下端より下垂する垂直面９から構成されている。カバー部９の下端の径は、排水管収納部７の上端の径よりも大きな径であるので、カバー部９により下部材４の筒状部６を覆うことができる。このようなカバー部９を備える上部材５を下部材４の上に載置することにより、排水管カバー１の上部材４と下部材５との接続部分を外側から覆うことができ、カバー部９は、排水管カバー１の外観を良好に維持することができる。
【００３３】
上部材５と下部材４との間には、上部材５のカバー部９の下端内周縁部と下部材４の筒状部６の外周面とが離間配置されて、下部材４の筒状部６の内部空間と外部とを連通する開口部１０が形成される。本実施形態の排水管カバー１は、大雨等の際には、排水管３から排水しきれなくなった雨水Ｗ等を、開口部１０より外部にオーバーフローさせることにより、竪樋２への雨水Ｗの逆流を抑制することができる。
【００３４】
また、雨水Ｗ等の水位が上昇した場合、雨水Ｗ等によりカバー部９のテーパー面９ａが裏面より、水の浮力により押し上げられる。このとき、上部材５は、竪樋２の外周面との間にクリアランスを有しているので、上部材６が図示していない軒樋方向にスライドして、開口部１０からの排水量を増大させることが可能である。
【００３５】
図２は、本発明の排水管カバー１の別の実施形態を模式的に示した概略断面図である。図１に示した実施形態と共通する部分については同一の符号を付し、詳細な説明は省略する。
【００３６】
本実施形態の上部材５では、上端開口部８の内周面に、排水管３の中央に向かって下方に水流ガイド部１２が突設され、カバー部９の下端内周縁部には突条部１３が設けられている。また、本実施形態の下部材４の筒状部６外周面には突条部受部１４が設けられており、突条部１３が突条部受部１４に載置されることが好ましく考慮される。
【００３７】
水流ガイド部１２は、上端開口部８の下端とカバー部９のテーパー面９ａの上端部との境界近傍より、上端開口部８の内壁面に突出し、排水管３の中央に向かって下方に延設されている。図２は断面図であるため、水流ガイド部１２は、突設片のように図示されているが、実際には、上端開口部８の内周面の全体に亘って設けられていることが好ましく、例えば、水流ガイド部１２が環状に形成されていることが例示される。
【００３８】
このような水流ガイド部７を備えることにより、竪樋２の下端部より排水管３側に流入する雨水Ｗを、排水管３の中央部に誘導することができる。そのため、通常の雨量のときには、上端開口部８の上端側から流れる雨水Ｗが開口部１０側に流れ込んで排水管３の外部に流出することが抑えられている。
【００３９】
突条部１３の断面形状は、後述の突条部受部１４と接するものであれば、特に制限されることはなく、例えば、矩形状や扇形状等が例示される。また、突条部１３は、カバー部９の内周面と平行に設けられた帯状の部材によって連結することが例示される。この場合、カバー部９の内周面と前記帯状の部材との間に形成された間隙が、突条部１３によって区切られて、開口部１０を形成する。
【００４０】
突条部１３は、図３に示したように、カバー部９の前記下端内周面部に沿って複数個設けられていることが好ましく考慮される。
【００４１】
本実施形態の下部材４においては、筒状部６の外周面に突条部受部１４が設けられている。
【００４２】
突条部受部１４は、図２においては、下部材４の筒状部６の外周面より断面矩形の突起として突設されているが、開口部１０を閉塞しない限り、その形状は限定されることはなく、例えば、凹形状にして突条部１３の下端を収納するようにしてもよく、下部材４の外周面に沿って環状に形成された突条としてもよい。
【００４３】
下部材４の筒状部６の外径は、上部材５のカバー部９の下端の内径より小さくなるように形成されている。そのため、下部材４の筒状部６を上部材５のカバー部９の下端からカバー部９内に挿通することができる。このとき、図３に示したように、上部材５の突条部１３が、下部材４の突条部受部１４の上面に載置されることにより、上部材５は下部材４により支持される。
【００４４】
上記の突条部１３と突条部受部１４との接続方法においては、開口部１０が閉塞されることはない。このため、開口部１０は、常に筒状部６の内部空間と外部とを連通している。
【００４５】
そして、水流ガイド部７と突条部１３との間であって、開口部１０の上方に当たる部分に空間が形成されることが好ましく考慮される。
【００４６】
本実施形態の排水管カバー１においては、図２に示したように、大雨などの際に、竪樋２の下端部から排水管３に流入する雨水Ｗなどが、排水管３の排水能力を超過し、排水管カバー１内に逆流して、雨水Ｗの水位が下部材４の筒状部６の上端を上回ることがある。下部材４の筒状部６の上端を超えた雨水Ｗについては、筒状部６の内部空間と外部とを連通する開口部１０から排水管カバー１外へと排水される。また、雨水Ｗの水位がさらに上昇した場合、水流ガイド部７の下面が逆流防止弁として働き、開口部１０の上方に当たる部分に形成された前記空間に、一時的に雨水Ｗが貯留され、開口部１０から外部への排水を促すことができる。このような水流ガイド部７と開口部１０により、排水管３から溢れた雨水Ｗが竪樋２および軒樋に逆流することが抑制され、建物の水濡れや汚れを抑制することができる。
【００４７】
なお、突条部１３は、カバー部９の垂直面９ｂの強度を補強するリブとしても機能し、地面との接触などによるカバー部９の破損を抑制することも可能である。
【００４８】
本発明は、以上の実施形態によって限定されるものではない。例えば、排水管カバー１の材質は、ステンレス、銅、アルミニウム等の金属、または、硬質ポリ塩化ビニル等の合成樹脂等が例示される。また、排水管カバー１においては、上部材５と下部材４の材質は同一であってもよいし、それぞれ異なる材質製であってもよい。
【符号の説明】
【００４９】
１  排水管カバー
２  竪樋
３  排水管
３１  立ち上がり端部
４  下部材
５  上部材
６  筒状部
７  排水管収納部
８  上端開口部
９  カバー部
９ａ  テーパー面
９ｂ  垂直面
１０  開口部
１１  排水管覆部
１２  水流ガイド部
１３  突条部
１４  突条部受部
Ｇ  地中
Ｗ  雨水
【図１】
2018104961.tif 000003
【図２】
2018104961.tif 000004
【図３】
2018104961.tif 000005
【図４】
2018104961.tif 000006
【図５】
2018104961.tif 000007